(57)【特許請求の範囲】
【請求項１】
Ｘ線検出器であって：
複数のピクセルを伴うピクセルアレイであり、それぞれのピクセルは感知領域を含んでいる、ピクセルアレイと；
基板と；
電子回路と、を含み、
前記感知領域は、前記基板に取り付けられており、
前記電子回路は、前記感知領域をコントロールして読み出し、かつ、前記感知領域を処理装置と接続する、ように構成されており、
前記感知領域は、前記ピクセルに当たっているＸ線放射を表す電気信号を提供するように構成されており、かつ、
全てのピクセルは、ピクセルレイアウトスキームに従ったピクセルレイアウトで備えられ、前記ピクセルレイアウトスキームにおいて、
前記感知領域は、ピクセル信号に寄与しているピクセル表面の第１の部分であり、
前記ピクセル表面の第２の部分は、前記ピクセル信号への寄与に対して無関係であり、
前記それぞれのピクセルの前記感知領域は、前記基板の上に一つのパターンに従って配置されており、
前記パターンにおいては、隣接する全てのピクセルでのピクセルレイアウトが相互に異なって配置されるように、同一のピクセルレイアウトスキームを有するピクセルの前記第２の部分が備えられており、
前記ピクセルは、正六角形の形状を有し、３つの繰返し方向を伴うハチの巣構造を形成し、
前記３つの繰返し方向の全てにおいて、前記ピクセルの前記第２の部分について、隣接するピクセルでのピクセルレイアウトが相互に異なるように配置されている、
Ｘ線検出器。
【請求項２】
前記ピクセルの前記第２の部分は、
隣接するピクセルでのピクセルレイアウトが、お互いに関して、
ｉ）ミラー対称であり、かつ／あるいは、
ｉｉ）回転対称である、
請求項１に記載のＸ線検出器。
【請求項３】
全てのピクセルについて、隣接するピクセルでのピクセルレイアウトが相互に異なって配置されるように備えられるが、全てのピクセルについて、同一のピクセルレイアウトスキームが使用されている、
請求項１または２に記載のＸ線検出器。
【請求項４】
全てのピクセルは、
隣接するピクセルでのピクセルレイアウトが、お互いに関して、
ｉ）ミラー対称であり、かつ／あるいは、ｉｉ）回転対称である、
請求項３に記載のＸ線検出器。
【請求項５】
医療用Ｘ線画像システムであって：
Ｘ線光源と；
Ｘ線検出器と；
処理装置と、を含み、
前記Ｘ線検出器は、請求項１乃至４いずれか一項に記載の前記Ｘ線検出器を備えている、
システム。
【請求項６】
Ｘ線画像化のための方法であって：
ａ）Ｘ線光源によって、Ｘ線放射を生成するステップと；
ｂ）前記生成されたＸ線放射の少なくとも一部を用いて、興味対象物を照射するステップと；
ｃ）前記興味対象物によって少なくとも部分的に減衰されたＸ線放射を受け取るステップと；
ｄ）請求項１乃至４いずれか一項に記載の前記Ｘ線検出器によって、受け取った前記Ｘ線放射を電気信号へと変換するステップと、
を含む、方法。
【発明の詳細な説明】
【技術分野】
【０００１】
本発明は、検出器のピクセルレイアウトに関する。より特定的には、Ｘ線検出器、医療用Ｘ線画像システム、および、Ｘ線画像化方法に関する。
【背景技術】
【０００２】
Ｘ線検出器、例えば無線ポータブル検出器、の使用においては、画像において固定の散乱線除去グリッド（ａｎｔｉ−ｓｃａｔｔｅｒ  ｇｒｉｄ）が見えてしまうことがわかった。画像品質の改善のために、問題を軽減するように複雑な画像フィルタが提供される。しかしながら、こうした測定は時間または装置に関して追加のエフォートを要し、従って、経済的に不利であることがわかってきた。国際特許出願公開第２００４／０６３８０３Ａ１号は、マトリクス形式で行と列に配置されたピクセルのアレイを用いた検出器を説明している。ここでは、マトリクスの対角線に沿ってジグザグ形状に走るようにアクセスラインが備わっている。
【先行技術文献】
【特許文献】
【０００３】
【特許文献１】国際特許出願公開第２００４／０６３８０３Ａ１号
【発明の概要】
【発明が解決しようとする課題】
【０００４】
このように、Ｘ線画像によって提供される画像におけるアーチファクトを回避するための促進性のある方法を提供する必要がある。
【０００５】
本発明の目的は、独立請求項に係る技術的事項によって解決され、さらなる実施例は、独立請求項に包含されている。
【課題を解決するための手段】
【０００６】
以降に説明される本発明の態様は、Ｘ線検出器、医療用Ｘ線画像システム、および、Ｘ線画像化方法にも適用されることに留意すべきである。
【０００７】
本発明の第１の態様に従って、Ｘ線検出器が提供される。本Ｘ線検出器は、複数のピクセルを伴うピクセルアレイであり、それぞれのピクセルは感知領域を含んでいる、ピクセルアレイを含む。本Ｘ線検出器は、さらに、構体と；電子回路と、を含む。前記感知領域は、前記構体に取り付けられている。前記電子回路は、前記感知領域をコントロールして読み出し、かつ、前記感知領域を処理装置と接続する、ように構成されている。前記感知領域は、前記ピクセルに当たっているＸ線放射を表す電気信号を提供するように構成されている。全てのピクセルは、ピクセルレイアウトスキームを用いたピクセルレイアウトにおいて備えられ、ピクセルレイアウトスキームでは、前記感知領域は、ピクセル信号に寄与しているピクセル表面の第１の部分であり、前記ピクセル表面の第２の部分は、前記ピクセル信号への寄与に対して無関係である。前記感知領域は、前記構体の上に一つのパターンで配置されており、パターンにおいて、同一のピクセルレイアウトスキームを有する前記ピクセルの少なくとも一部分が提供され、隣接するピクセルに係るピクセルレイアウトは、異なって構成される。
【０００８】
ピクセル自身は、正方形状で提供されてよく、または、長方形、もしくは、ハチの巣形状といった、他の形状であってよい。用語「形状（“ｆｏｒｍ”）」は、ピクセルのそれぞれの表面領域に関するものである。つまり、ピクセルは、第１の部分と第２の部分から構成されている。隣接するピクセルの第２の部分は、異なる場所に配置されている。
【０００９】
本発明の典型的な実施例に従って、前記ピクセルの少なくとも一部分は、隣接するピクセルの前記ピクセルレイアウトが、お互いに関して、ｉ）ミラーされ、及び/又は、  ｉｉ）回転されている。
【００１０】
本発明の典型的な実施例に従って、前記ピクセルは、第１の方向における行、および、第２の方向における列において提供される。隣接するピクセルのために、前記ピクセルの前記少なくとも一部分に対して、前記ピクセルレイアウトの異なる配置が、前記第１の方向および前記第２の方向において提供される、
【００１１】
本発明の典型的な実施例に従って、前記ピクセルは、３つの繰返し方向を伴うハチの巣構造で提供される。前記ピクセルの前記少なくとも一部分に対して、前記ピクセルレイアウトの異なる配置が、３つの繰返し方向全てにおいて提供される。
【００１２】
本発明のさらなる典型的な実施例に従って、全てのピクセルに対して、隣接するピクセルが、前記ピクセルレイアウトの異なる配置において提供される。しかし、同一のピクセルレイアウトスキームを用いている。
【００１３】
例えば、用語「異なる配置（“ｄｉｆｆｅｒｅｎｔ  ａｒｒａｎｇｅｍｅｎｔ”）」は、隣接するピクセルに対して、異なるレイアウト方向に関するものである。
【００１４】
本発明の典型的な実施例に従って、全てのピクセルは、隣接するピクセルの前記ピクセルレイアウトスキームが、お互いに関して、ｉ）ミラーされ、及び/又は、ｉｉ）回転されている。
【００１５】
本発明の第２の態様に従って、医療用Ｘ線画像システムが提供される。本医療用Ｘ線画像システムは、Ｘ線光源と；Ｘ線検出器と；処理装置と、を含んでいる。前記Ｘ線検出器は、上述の実施例のうちの一つに従った前記Ｘ線検出器を備えている。
【００１６】
感知領域は、例えば間接変換のために、フォトダイオードとして備えられてよい。本発明のさらなる実施例に従えば、直接変換の場合に、例えば、セレニウム（ｓｅｌｅｎｉｕｍ）を伴う検出器が備えられてよく、感知領域は、電極を形成している。
【００１７】
本発明の第３の態様に従って、Ｘ線画像化のための方法が提供される。本方法は、以下のステップを含んでいる。すなわち、
ａ）Ｘ線光源によって、Ｘ線放射を生成するステップ；
ｂ）生前記成されたＸ線放射の少なくとも一部を用いて、興味対象物を照射するステップ；
ｃ）前記対象物によって少なくとも部分的に減衰されたＸ線放射が受け取るステップ；
ｄ）請求項１乃至８いずれか一項に記載の前記Ｘ線検出器によって、受け取った前記Ｘ線放射を電気信号へと変換されるステップ、である。
【００１８】
本発明の一つの態様に従って、フォトダイオード、または、他のピクセルの、いわゆる、所定の形状は、変化しない。しかし、ピクセルレイアウトがミラー、または、回転、または、両方がされる。例えば、フォトダイオード設計のデザインルール、および、読み出しトランジスタの設計を変更する必要が無いようにである。利点として、ライン拡張機能に係る変動における改善されたシフトのおかげで、グリッドライン描写に対する感度の低下が達成される。このように、ソフトウェアプロシージャを用いてグリッドラインを除去するために残っているソフトウェアエフォートが促進される。結果として、より良い画像品質が達成できる。さらなる態様に従って、特に無線ポータブル検出器に関して、検出器上の長くて細いラインの信号は、フォトダイオード、または感知領域に関する正確な位置に依存することが少ない。結果として、固定の散乱線除去グリッドのグリッドラインが見えることがより少ない。
【００１９】
本発明に係るこれら及び他の態様は、以降に説明される実施例から明らかになり、かつ、実施例を参照して明らかにされる。
【図面の簡単な説明】
【００２０】
以降には、添付の図面を参照して、本発明の典型的な実施例が説明される。
【図１Ａ】図１Ａは、Ｘ線検出器の典型的な実施例について、側面図を示している。
【図１Ｂ】図１Ｂは、Ｘ線検出器の典型的な実施例について、平面図を示している。
【図２Ａ】図２Ａは、ピクセルレイアウトのスキームについて異なる実施例を示している。
【図２Ｂ】図２Ｂは、ピクセルレイアウトのスキームについて異なる実施例を示している。
【図２Ｃ】図２Ｃは、ピクセルレイアウトのスキームについて異なる実施例を示している。
【図２Ｄ】図２Ｄは、ピクセルレイアウトのスキームについて異なる実施例を示している。
【図２Ｅ】図２Ｅは、ピクセルレイアウトのスキームについて異なる実施例を示している。
【図３Ａ】図３Ａは、一つの典型的な実施例におけるＸ線検出器の平面図を示している。
【図３Ｂ】図３Ｂは、別の典型的な実施例におけるＸ線検出器の平面図を示している。
【図４Ａ】図４Ａは、Ｘ線検出器の異なるピクセル配置を示している。
【図４Ｂ】図４Ｂは、Ｘ線検出器の異なるピクセル配置を示している。
【図４Ｃ】図４Ｃは、Ｘ線検出器の異なるピクセル配置を示している。
【図５】図５は、医療用Ｘ線画像システムを示している。
【図６】図６は、Ｘ線画像化方法の基本的なステップを示している。
【発明を実施するための形態】
【００２１】
図１は、Ｘ線検出器１０を、図１Ａでは断面図または側面図において、図１Ｂでは平面図において示している。ピクセルアレイ１２は複数のピクセル１４を備えており、ピクセル１４のそれぞれは、感知領域（ｓｅｎｓｉｔｉｖｅ  ａｒｅａ）１６を含んでいる（図２Ａから図２Ｅ、および、以下の明細書の各節を参照のこと）。さらに、構体１８、および、電子回路２０（さらなる図示なし）を備えている。感知領域１６は、構体（ｂｏｄｙ  ｓｔｒｕｃｔｕｒｅ）１８に取り付けられている。電子回路は、感知領域１６をコントロールして読み出し、かつ、感知領域１６を処理装置（さらなる図示なし）と接続するように備えられている。感知領域１６は、ピクセルに当たっているＸ線放射を表す電気信号を提供するように構成されている。全てのピクセルは、ピクセルレイアウトスキーム２２を用いて、ピクセルレイアウトの中に備えられている。スキーム２２は、図１Ａと図１Ｂにおいて、さらには図示されないが、図２Ａに関して説明される。
【００２２】
用語「ピクセルレイアウトスキーム（“ｐｉｘｅｌ  ｌａｙｏｕｔ  ｓｃｈｅｍｅ”）」は、図形的構成の形式として、感知領域１６と非感知領域を参照するものである。用語「ピクセルレイアウト（“ｐｉｘｅｌ  ｌａｙｏｕｔ”）」は、この図形的構成、または、ピクセルレイアウトスキームが、それぞれのピクセルに対して配置されるやり方を参照するものである。
【００２３】
感知領域は、間接変換の場合に、フォトダイオードとして備えられてよく、または、直接変換の場合に、例えば、セレニウムを伴う検出器、電極として備えられてよい。
【００２４】
レイアウトスキーム自身は、全てのピクセルに対して繰り返されてよい。
【００２５】
用語「構成された（“ａｒｒａｎｇｅｄ”）」は、ピクセルレイアウトを形成し得るピクセルレイアウトスキームの向きまたは位置に関するものである。
【００２６】
電子回路は、読み出しトランジスタ、等を含んでよい。
【００２７】
例えば、図２Ａに示すように、感知領域１６は、ピクセル表面の第１の部分であって、ピクセルレイアウトを形成しており、かつ、ピクセル表面の第２の部分２６は、ピクセル信号への寄与に対して無関係である。第２の部分２６は、図２Ａ、２Ｂ、２Ｃ、２Ｄ、および、２Ｅの全体にわたって、ハッシュパターンを用いて示されている。それぞれの感知領域１６、または、第１の部分２４は、左の白色の部分である。
【００２８】
図２は、４辺のうち３辺の周りの第２の部分２６の領域を備えたピクセルに係る正方形の形状を示している。
【００２９】
図２Ｂにおいて、第２の部分２６は、角にだけ備えられている。図２Ｃにおいて、第２の部分２６は、一方の側に沿って備えられている。
【００３０】
図２Ｄは、図２Ａとしてのピクセルレイアウトスキームと類似のピクセルレイアウトを示しているが、ピクセルの形式は正方形の代わりに長方形である。
【００３１】
図２Ｅは、さらなる実施例を示している。それぞれ単一のピクセルの形式は、ハチの巣として形作られており、レイアウトの周りの領域に沿って第２の部分２６が配置されている。
【００３２】
上述のように、感知領域１６は、ピクセルの第１の部分としても参照される。感知領域は、また、ピクセルのアクティブ領域としても参照される。
【００３３】
２つの隣接するピクセルの中心点の距離は、ピクセルピッチとして参照される。ピクセルピッチは、ピクセルアレイ１２全体にわたり一定の方法で備えられてよいし、または、ピクセルピッチが増加または減少していてもよい。例えば、このことは、ｘ方向とｙ方向といった、異なる方向において同じであり得る。しかしながら、ピッチは、また、異なる方向において異なってよい。ピッチは、また、異なるサブストレートピッチから構成されてもよい。
【００３４】
ピクセルサイズは、感知領域の大きさである。感知領域は、異なるｘ方向の大きさとｙ方向の大きさを伴う長方形であってよい。ピクセル表面は、より複雑である。長方形の角に欠けた部分がある感知領域といったようにである（例えば、図２Ｂを参照のこと）。
【００３５】
さらなる実施例に従って、感知領域、またはアクティブ領域閾値発生回路は、Ｌ型形状であってよい。図２Ａと図２Ｄに示されるようにである。
【００３６】
感知領域は、フォトダイオード、または、直接変換の場合には電極、例えば、セレニウムを用いた検出器であってよい。
【００３７】
レイアウトスキーム自身は、隣接するピクセル、つまり、それらのピクセルレイアウトが、異なって配置されるように、全てのピクセルに対して繰り返されてよい。用語「配置された（“ａｒｒａｎｇｅｄ”）」は、ピクセルレイアウトスキームの向きまたは位置に関するものである。
【００３８】
電子回路は、読み出しトランジスタ等を含んでよい。
【００３９】
図３は、数多くのピクセルを伴うピクセルアレイ１２の２つの実施例について平面図を示している。一つの実施例が図３Ａであり、別の実施例が図３Ｂである。ピクセルは、それぞれに同一のレイアウトスキームを有しているが、異なるピクセルレイアウトとして、図面の簡素化のために、マーク付けされた領域２８を伴って示されている。さらに、文字ａ、ｂ、ｃ、ｄ、ｅ、ｆ、ｇ、およびｈは、パターン３０が提供されるように、異なった可能な配置を示している。パターンにおいては、同一のピクセルレイアウトスキーム２２を有するピクセルの少なくとも一部が備えられ、隣接するピクセルのピクセルレイアウトが異なるように配置されている。
【００４０】
例えば、隣接するピクセルのピクセルレイアウトスキーム２２によって形成されたピクセルレイアウトは、お互いに関して、ミラー及び/又は回転されたものであり得る。
【００４１】
上述のように、ピクセル自身は、図３Ａにも示されるように、正方形状で提供されてよく、または、長方形、もしくは、ハチの巣形状といった、他の形状であってよい。用語「形状」は、ピクセルのそれぞれの表面領域に関するものである。つまり、ピクセルは、第１の部分と第２の部分から構成されている。
【００４２】
感知領域は、長方形状で提供されてよく、ときどき一つまたはそれ以上のいわゆる欠けた角（ｍｉｓｓｉｎｇ  ｃｏｒｎｅｒ）を伴っている。欠けた領域、つまりＸ線放射に対する感受性に寄与していない表面は、トランジスタと回線経路、つまりストリップ導体、によって占められてよい。
【００４３】
ピクセル自身は、相対する側の第１のペアが相対する側の第２のペアより長さが短い長方形状で提供されてよく、または、正方形状であってよい。
【００４４】
例えば、ピクセルは、正方形または長方形といった、長方形状を有している。例えば、図２Ｂに示されるようにである。感知領域の信号、例えばフォトダイオード信号、への寄与に対して無関係なピクセル表面の第２の部分が、ピクセルの角３２に備えられている。その角は、また、「ブラインドピクセル角」としても参照される。ピクセルは、図３Ａに示されるように、正方形状を有してよく、または、長方形状であってよい。
【００４５】
さらに、図２Ａにも示されるように、ピクセルは、矢印３６を用いて示されているように、第１の方向において行３４が備えられ、かつ、矢印４０を用いて示されているように、第２の方向において列３４が備えられている。ピクセルの少なくとも一部分に対して、隣接するピクセルのために、第１および第２の方向３６、４０において、レイアウトの異なる配置が提供されてよい。
【００４６】
行と列３４、３８は、２つの繰返し方向において提供され、かつ、異なる配置が両方の繰返し方向において提供される。
【００４７】
図３Ａは、行と列におけるピクセルの配置のための実施例を示しており、図３Ｂは、３つの繰返し方向を伴う、ハチの巣構造で提供されるピクセルを示している。
【００４８】
図３Ｂに示されるように、別の実施例において、ピクセル２２は、３つの繰返し方向を伴うハチの巣構造で提供される。繰返し方向は、第１の方向に対して第１の矢印４４、第２の方向に対して第２の矢印４６、そして、第３の方向に対して第３の矢印４８を用いて示されている。ピクセルの少なくとも一部分に対して、隣接するピクセルのために、３つ全ての方向において、レイアウトの異なる配置が提供されてよい。ハチの巣ピクセルが、ドット表示の角５０を伴って、再び示されている。
【００４９】
さらなる実施例に従えば、図３Ａと図３Ｂ、および、図４Ａと図４Ｂにも適用可能であるが、全てのピクセルに対して、隣接するピクセルが、ピクセルレイアウトの異なる配置において、しかし、同一のレイアウトスキームを用いて、提供される。
【００５０】
上述のように、用語「異なる配置」は、隣接するピクセルに対する、異なる向きに関するものである。
【００５１】
図４Ａに示されるように、隣接するピクセルは、２つのピクセルレイアウトを用いてミラーされて提供され得る。つまり、タイプ「ａ」とタイプ「ｂ」である。例えば、第１のピクセル５２は、レイアウトタイプ「ａ」を有しており、隣接するピクセル５４は、レイアウトタイプ「ｂ」を用いて示されている。
【００５２】
図４Ａは、結果として２つのピクセルレイアウトを生じる１つのミラー軸を示している。一方、図４Ｂは、結果として４つのピクセルレイアウトを生じる２つのミラー軸を示している。つまり、タイプ「ａ」、タイプ「ｂ」、タイプ「ｃ」、およびタイプ「ｄ」である。それぞれのタイプが図４Ｂに示されている。
【００５３】
図４Ｃは、さらなる実施例を示している。ここでは、回転を伴って、２つのミラー軸が一緒に適用されており、結果として８つのピクセルレイアウトを生じている。タイプ「ａ」からタイプ「ｈ」である。
【００５４】
さらに、異なるピクセルレイアウト（さらなる図示なし）を結果として生じるように、ピクセルが回転されるピクセルパターンが、提供される。
【００５５】
例えば、ピクセルは４つの隣接したピクセルを有しており、それらが隣接するピクセルと比較して全て異なっている。Ｌ型形状のアクティブ領域の場合、８つの異なる形式の配置が提供され得る。長方形状のアクティブ領域の場合、２つの異なる形式の配置が提供され得る。例えば、チェス盤の配置が提供される。
【００５６】
例えば、３×３配置のグループが繰り返される。
【００５７】
別の実施例においては、ランダム配置が備えられ、同様なピクセル配置のクラスタ（ｃｌｕｓｔｅｒ）を回避する。例えば、図３Ａにおいて示されるようにである。
【００５８】
用語「無関係（“ｉｒｒｅｌｅｖａｎｔ”）」は、フォトダイオードの信号に対して寄与していないことに関するものである。Ｘ線放射をフォトダイオードにとっての可視光へと変換するために、それぞれのピクセルについて変換エレメント（シンチレータ）が備えられる。光は、（可視光の）フォトダイオードによって電気信号へと変換される。このことは、間接検出としても参照される。
【００５９】
感知領域は、また、Ｘ線放射を電気信号へと変換するように構成されており、直接変換としても参照されている。感知領域は、電極として提供されている。
【００６０】
図５は、医療用Ｘ線画像システム８０を示しており、Ｘ線光源８２、Ｘ線検出器８４、および、処理装置８６を含んでいる。Ｘ線検出器８４は、上述の実施例の一つに従ったＸ線検出器として提供されている。
【００６１】
さらに、例示として、患者８８は、患者テーブル９０の上に備えられ、患者テーブルは、高さ、長さ、および、傾きにおいて調整可能である。
【００６２】
Ｘ線光源８２とＸ線検出器８４は、Ｃ型アーム構造９２の相対する端に配置されている。Ｃ型アーム構造は、Ｃ型アーム保持装置９６によって天井構造９４から支持されている。
【００６３】
さらに、照明とモニタ９８も、また、示されている。
【００６４】
Ｘ線画像システム８０は、単なる例示として、Ｃ型アームタイプの構成であるとして示されていることに、留意すべきである。もちろん、他のタイプのＸ線画像システムも提供される。ＣＴシステム等、といったものである。
【００６５】
図６は、Ｘ線画像化のための方法１００を示しており、以下のステップを含んでいる。最初のステップ１１０において、Ｘ線光源によって、Ｘ線放射が生成される。第２のステップ１１２においては、生成されたＸ線放射の少なくとも一部を用いて、興味対象物が照射される。第３のステップ１１４では、対象物によって少なくとも部分的に減衰されたＸ線放射が受け取られる。第４のステップ１１６においては、上述の実施例の一つに従って、Ｘ線検出器によって、受け取ったＸ線放射が電気信号へと変換される。
【００６６】
第１のステップ１１０はステップａ）として、第２のステップ１１２はステップｂ）として、第３のステップ１１４はステップｃ）として、そして、第４のステップ１１６はステップｄ）としても参照される。
【００６７】
一つの態様に従えば、異なる場所に位置している対象物は、位置に関して、別の位置におけるコントラストのような同一の特性を有していることが、備えられている。このように、悪影響を与えることなく、検出器上で対象物を移動することが可能である。より広い解釈においては、対象物の移動も、また、同様な信号を導くものと期待される。例えば、検出器が、ピクセル幅より小さく配置されたラインを用いて画像化される場合、そうしたラインは検出器の異なる部分に当たり、従って、それぞれのアーチファクトを妨ぎ、かつ、回避している。放射線の散乱を防ぐためには、検出器の上に散乱線除去グリッドを使用することも可能である。しかしながら、この対応における一つの妥協は、検出器のピクセルピッチと同一の大きさのオーダーに係る分離におけるラメラ（ｌａｍｅｌｌａ）を用いたグリッドを使用することである。例えば、フォトダイオードの長方形状の列のちょうど上に位置しているそれぞれのグリッドラメラは、他のものよりも高いコントラストを用いて描かれる。このために、モアレパターンが見えるようになる。本願に係る発明に従うピクセルレイアウトを用いると、そうしたパターンのコントラストはゼロよりも低い。
【００６８】
本発明の実施例は異なる技術的事項に関して説明されていることに留意しなければならない。特に、いくつかの実施例は方法タイプの請求項に関して説明されているが、一方で、他の実施例は装置タイプの請求項に関して説明されている。しかしながら、当業者であれば、上記及び以降の説明から、そうでないものと記載されていなければ、一つのタイプの技術的事項に属する特徴のあらゆる組み合わせに加えて、異なる技術的事項に関する特徴間でのあらゆる組み合わせもまた、本特許出願と供に開示されていると考えられることが理解されよう。しかしながら、全ての特徴は、特徴の単なる足し算以上であるシナジー効果を提供するように組み合わされ得るものである。
【００６９】
本発明は、図面または前出の記載において、その詳細が説明され記述されてきたが、そうした説明および記載は、説明的または例示的なものであり、制限的なものではないと考えられるべきである。本発明は、開示された実施例に限定されるものではない。図面、明細書、および添付の特許請求の範囲を研究すれば、請求された本発明の実施において、当業者によって、開示された実施例に対する他の変形が理解され、もたらされ得る。
【００７０】
請求項において、用語「含む（“ｃｏｍｐｒｉｓｉｎｇ”）」は、他のエレメントまたはステップの存在を排除するものではなく、不定冠詞「一つの（“ａ”または“ａｎ”）」は、複数を排除するものではない。単一のプロセッサまたは他のユニットは、請求項で述べられる数個のアイテムに係る機能を満たし得る。特定の手段が、お互いに異なる従属請求項の中で再度引用されているという事実だけでは、これらの手段の組合せが有利に使用され得ないことを示すものではない。請求項におけるいかなる参照番号も、発明の範囲を限定するものと解釈されるべきではない。
【図１ａ】
0006445428.tif 000002
【図１ｂ】
0006445428.tif 000003
【図２ａ】
0006445428.tif 000004
【図２ｂ】
0006445428.tif 000005
【図２ｃ】
0006445428.tif 000006
【図２ｄ】
0006445428.tif 000007
【図２ｅ】
0006445428.tif 000008
【図３ａ】
0006445428.tif 000009
【図３ｂ】
0006445428.tif 000010
【図４ａ】
0006445428.tif 000011
【図４ｂ】
0006445428.tif 000012
【図４ｃ】
0006445428.tif 000013
【図５】
0006445428.tif 000014
【図６】
0006445428.tif 000015